(57)【要約】【課題】スカウトスキャン実施後に、テーブル高さの変更が生じた場合でも、スカウトスキャンを再実施することなく、スキャン計画をたてることが可能なＸ線ＣＴ装置を提供することを目的とする。【解決手段】Ｘ線管より発生するＸ線を、テーブルに載置された被検体に照射することで、該被検体に関するＸ線画像を生成するＸ線ＣＴ装置であって、前記テーブルの高さに関する情報を読み込む読込手段と、前記生成されたＸ線画像を、前記テーブルの高さに関する情報に基づいて、所定の座標上に表示する表示手段とを備え、前記表示手段は、前記Ｘ線画像生成時の所定のテーブル高さがＸ線画像生成後に変動した場合に（ステップＳ６０１、６０２）、該テーブル高さの変動分に基づいて、前記表示されたＸ線画像を前記所定の座標に対して相対的に移動させる（ステップＳ６０３乃至６０５）ことを特徴とする。【選択図】  図６
2004208952.tif 000002
【特許請求の範囲】
【請求項１】
Ｘ線管より発生するＸ線をテーブルに載置された被検体に照射することで該被検体に関するＸ線画像を生成するＸ線ＣＴ装置であって、
前記テーブルの高さに関する情報を読み込む読込手段と、
前記生成されたＸ線画像を前記テーブルの高さに関する情報に基づいて所定の座標上に表示する表示手段とを備え、
前記表示手段は、
前記Ｘ線画像生成時の所定のテーブル高さがＸ線画像生成後に変動した場合に、該テーブル高さの変動分に基づいて、前記表示されたＸ線画像を前記所定の座標に対して相対的に移動させることを特徴とするＸ線ＣＴ装置。
【請求項２】
前記Ｘ線画像は、前記テーブルに載置され搬送される被検体に対して、前記Ｘ線管を所定位置に固定した状態でＸ線を照射することで生成される透視画像であることを特徴とする請求項１に記載のＸ線ＣＴ装置。
【請求項３】
前記テーブル高さを検出する検出手段を更に備え、
前記読込手段は、前記検出手段により検出されたテーブル高さを読み込むことを特徴とする請求項１に記載のＸ線ＣＴ装置。
【請求項４】
Ｘ線管より発生するＸ線をテーブルに載置された被検体に照射することで該被検体に関するＸ線画像を生成するＸ線ＣＴ装置における画像処理方法であって、
前記テーブルの高さに関する情報を読み込む読込工程と、
前記生成されたＸ線画像を前記テーブルの高さに関する情報に基づいて所定の座標上に表示する表示工程とを備え、
前記表示工程は、
前記Ｘ線画像生成時の所定のテーブル高さがＸ線画像生成後に変動した場合に、該テーブル高さの変動分に基づいて、前記表示されたＸ線画像を前記所定の座標に対して相対的に移動させることを特徴とするＸ線ＣＴ装置における画像処理方法。
【請求項５】
前記Ｘ線画像は、前記テーブルに載置され搬送される被検体に対して、前記Ｘ線管を所定位置に固定した状態でＸ線を照射することで生成される透視画像であることを特徴とする請求項４に記載のＸ線ＣＴ装置における画像処理方法。
【請求項６】
前記テーブル高さを検出する検出工程を更に備え、
前記読込工程は、前記検出工程において検出されたテーブル高さを読み込むことを特徴とする請求項４に記載のＸ線ＣＴ装置における画像処理方法。
【請求項７】
請求項４乃至６のいずれか１つに記載の画像処理方法をコンピュータによって実現させるための制御プログラム。
【請求項８】
請求項４乃至６のいずれか１つに記載の画像処理方法をコンピュータによって実現させるための制御プログラムを格納した記憶媒体。
【発明の詳細な説明】
【０００１】
【発明の属する技術分野】
本発明はＸ線照射によって得られた被検体のＸ線画像を生成するＸ線ＣＴ（Ｃｏｍｐｕｔｅｒｉｚｅｄ  Ｔｏｍｏｇｒａｐｈｙ  ）装置に関するものである。
【０００２】
【従来の技術】
Ｘ線ＣＴ装置は、患者（被検体）に複数方向からＸ線を照射するスキャンを行い、患者を透過した各方向からのＸ線より得られる投影データに基づいて画像再構成処理を行うことによって、検査部位のＸ線断層像を提供するものである。操作者は、かかるスキャン等に先立ち、スキャンの条件や画像再構成処理の条件について、検査部位や検査目的に合わせて計画を立てる必要がある。このような計画は一般にスキャン計画とよばれ、Ｘ線ＣＴ装置は、操作コンソール上にスキャン計画のためのユーザインタフェースを提供している。
【０００３】
そして、通常、スキャン計画を立てるにあたっては、事前にスカウトスキャンが実施される。スカウトスキャンとは、被検体をテーブル上に横たえて、Ｘ線管を所定位置に固定したまま（すなわち、ガントリを回転させずに、一定の投影角度に固定したまま）、被検体を乗せたテーブルを徐々に搬送しながらＸ線を連続的に照射して得た投影データ（透視画像データ）より、１枚の被検体透視画像（スカウト画像）を得るものである。
【０００４】
スカウトスキャンにより得られたスカウト画像はスキャン計画画面に表示され、操作者は、スカウト画像を参照しながらスキャン計画を立てることが可能となる（スキャン計画画面についての先行技術は、例えば、特許文献１乃至３参照）。具体的には、操作者はスカウト画像を見ながら検査しようとする部位がスキャン範囲に入るように、スキャン開始位置およびスキャン終了位置を設定する。また、スカウト画像に基づいて、検査しようとする部位に対するガントリチルト角を決定する（一般に、Ｘ線ＣＴ装置におけるガントリには、被検体に対するスキャンのスライス角を調整するためにガントリ傾斜（チルト）機構が備えられており、スキャン計画を立てるにあたっては、ガントリチルト角の設定が必要となる）。
【０００５】
【特許文献１】
特開平０７−２２７３９１号公報
【特許文献２】
特開２００１−２１２１３７号公報
【特許文献３】
特開２００２−１７７２６１号公報
【０００６】
【発明が解決しようとする課題】
しかしながら、ガントリチルト角には限界がある。これは、ガントリ回転部をチルトさせるにあたり、ガントリチルト角を大きくしすぎると、テーブルおよびテーブルに載置された患者とガントリ回転部とが干渉してしまうからである。そして、かかるガントリチルト角の限界は、テーブルの高さによって変動し、一般に、テーブルの高さに応じたガントリチルト角の限界（ＦＷＤ限界およびＢＷＤ限界）がスキャン計画画面上に表示される（「ＦＷＤ限界」とは、ガントリ回転部の前方向へのガントリチルト角の限界を、「ＢＷＤ限界」とは、ガントリ回転部の後方向のチルト角度の限界をそれぞれ示す）。
【０００７】
このため、スカウトスキャン時のテーブル高さでは、所望のスライス角にてスキャンできない場合、操作者はガントリチルト角の限界を広げるべく、テーブルの高さを変更する。
【０００８】
しかし、このようにスカウト画像採取後に、テーブル高さを変更すると、変更後の状態におけるスカウト画像を採取するために、再度スカウトスキャンを実施する必要が生じるという問題があった。
【０００９】
これは、テーブル高さを変更する前のスカウト画像に基づいてスキャン計画をたててしまうと、画像上の被検体の位置と実際の被検体の位置とのずれにより種々の不都合が生じるからである。例えば、所定のガントリチルト角でヘリカルスキャンを行う場合、テーブル高さを変更する前のスカウト画像に基づいてスキャン開始位置およびスキャン終了位置を設定してしまうと、実際の被検体上のスキャン開始位置およびスキャン終了位置とずれが生じてしまい、所望の検査範囲のスキャン画像を得られないこととなってしまう。
【００１０】
本発明は、上記課題に鑑みてなされたものであり、スカウトスキャン実施後に、テーブル高さの変更が生じた場合でも、スカウトスキャンを再実施することなく、スキャン計画をたてることが可能なＸ線ＣＴ装置を提供することを目的とする。
【００１１】
【課題を解決するための手段】
かかる課題を解決するための本発明のＸ線ＣＴ装置は、以下の構成を備える。
すなわち、
Ｘ線管より発生するＸ線を、テーブルに載置された被検体に照射することで、該被検体に関するＸ線画像を生成するＸ線ＣＴ装置であって、
前記テーブルの高さに関する情報を読み込む読込手段と、
前記生成されたＸ線画像を、前記テーブルの高さに関する情報に基づいて、所定の座標上に表示する表示手段と、を備え、
前記表示手段は、
前記Ｘ線画像生成時の所定のテーブル高さに対して、Ｘ線画像生成後に変動が生じた場合に、該テーブル高さの変動分に基づいて、前記表示されたＸ線画像を、前記所定の座標に対して相対的に移動させることを特徴とする。
【００１２】
【発明の実施の形態】
以下、添付図面に従って本発明の好適なる実施の形態を詳細に説明する。なお、全図を通して同一符号は同一または相当部分を示すものとする。
【００１３】
＜全体システム構成＞
図１は、本発明の一実施形態にかかるＸ線ＣＴ装置のシステム構成図である。
Ｘ線ＣＴ装置は、Ｘ線を発生するＸ線発生源が被検体（患者）の周りを回動し、患者を透過した異なる照射角度でのＸ線をＸ線検出器により検出し、これを操作コンソールにてコンピュータ処理することによってＸ線照射部位の断層面（スライス位置における面、すなわちスライス面）の画像（Ｘ線断層像）を得る（再構成する）ものである。
【００１４】
図１に図示の如く、Ｘ線ＣＴ装置は、被検体（患者）へのＸ線照射と載置された被検体を透過したＸ線を検出するためのガントリ１２０と、ガントリ１２０に対して指示信号を送信し各種設定を行うとともに、ガントリ１２０から出力されてきた投影データに基づいてＸ線断層像を再構成したり透過画像を生成し、表示する操作コンソール１００、および被検体を載置し、ガントリ内部へ搬送する搬送装置１４０とを備えている。
【００１５】
１２０に示すガントリは、その全体の制御を司るメインコントローラ１２２を始め以下の構成を備える。
【００１６】
１２１は操作コンソール１００との通信を行うためのインターフェース、１３２はガントリ回転部であり、内部には、Ｘ線を発生するＸ線管１２４（Ｘ線管コントローラ１２３により駆動制御される）、Ｘ線の照射範囲を規定するコリメータ１２７、コリメータ１２７のＸ線照射範囲を規定するスリット幅の調整、及びコリメータ１２７のＺ軸方向（図面に垂直な方向、すなわち、後述する天板１４２が空洞部１３３に向かって搬送される方向）の位置を調整するコリメータモータ１２６が設けられている。かかるコリメータモータ１２６の駆動はコリメータコントローラ１２５により制御される。
【００１７】
また、１３２に示すガントリ回転部は、被検体を透過したＸ線を検出するＸ線検出部１３１、及びＸ線検出部１３１より得られた投影データを収集するデータ収集部１３０も備える。
【００１８】
Ｘ線管１２４及びコリメータ１２７と、Ｘ線検出部１３１とは互いに空洞部分１３３をはさんで対向する位置に設けられ、その関係が維持された状態でガントリ回転部１３２が矢印１３５の向きに回動するようになっている。この回転は、回転モータコントローラ１２８からの駆動信号により所定の制御周期で回転速度制御される回転モータ１２９によって行われる。
【００１９】
さらに、ガントリ１２０は、ガントリ回転部１３２を傾斜（チルト）させる構造（不図示）を有している。
【００２０】
また、搬送装置１４０は、被検体を実際に載置する天板１４２と、天板１４２と該天板を保持する台とを備えるテーブル１４３と、テーブル１４３を支持する基台１４４とを有し、天板１４２は天板モータ１４１によってＺ軸方向に駆動され（すなわち、天板の搬送方向＝Ｚ軸方向）、天板モータ１４１の駆動は天板モータコントローラ１３４からの駆動信号に基づいて所定の制御周期で搬送速度制御される。テーブル１４３は、テーブル昇降用モータ１４５により昇降動作可能であり、テーブル昇降用モータコントローラ１３６からの駆動信号に基づいて動作する一方、テーブル昇降用モータに内蔵されたテーブル高さセンサ（例えば、エンコーダ）により、テーブル１４３の高さ位置が検出される。
【００２１】
メインコントローラ１２２は、Ｉ／Ｆ１２１を介して受信した各種指示信号の解析を行い、それに基づいて上記のＸ線管コントローラ１２３、コリメータコントローラ１２５、回転モータコントローラ１２８、天板モータコントローラ１３４、テーブル昇降用モータコントローラ、そして、データ収集部１３０に対し、各種制御信号を出力することになる（さらに、ガントリ回転部１３２のチルト指令もメインコントローラ１２２より送出される）。また、メインコントローラ１２２は、データ収集部１３０で収集された投影データを、Ｉ／Ｆ１２１を介して操作コンソール１００に送出する処理も行う。
【００２２】
操作コンソール１００は、所謂ワークステーションであり、図示に示す如く、装置全体の制御を司るＣＰＵ１０５、ブートプログラム等を記憶しているＲＯＭ１０６、主記憶装置（メモリ）として機能するＲＡＭ１０７をはじめ、以下の構成を備える。
【００２３】
ＨＤＤ１０８は、ハードディスク装置であって、ここにＯＳならびにＸ線ＣＴ装置全体を統括する診断プログラムが格納されている。なお、本発明にかかる画像処理方法を操作コンソール１００にて実現させるための制御プログラムも、ＨＤＤ１０８に格納されている。そして、当該制御プログラムをＣＰＵ１０５が読み出し実行することによって本発明にかかる画像処理方法が達成される。この場合、ＨＤＤ１０８から読み出されたプログラムコード自体が画像処理方法を実現することになり、そのプログラムコードを記憶したＨＤＤ１０８は本発明を構成することになる。
【００２４】
図１に戻る。ＶＲＡＭ１０１は表示しようとするイメージデータ（２５６×２５６ピクセル）を展開するメモリであり、ここにイメージデータ等を展開することでＣＲＴ１０２にＸ線断層像やスカウト画像を表示させることができる。１０３および１０４は各種設定を行うためのキーボードとマウスである。また、１０９はガントリ１２０と通信を行うためのインターフェースである。
【００２５】
＜Ｘ線ＣＴ装置における全体処理の流れ＞
実施形態におけるＸ線ＣＴ装置の構成は概ね上記の通りであるが、かかる構成のＸ線ＣＴ装置における全体処理の概要は、図２のフローチャートに示すとおりである。フローチャートは、操作コンソール１００で行う処理（ａ）と、ガントリ装置１２０で行う処理（ｂ）とに分けて描かれている。
【００２６】
まず、被検体をテーブル１４３上に横たえて、撮影のための位置合わせを行う（ステップＳ２０１）。位置合わせを終えしだい、スカウトスキャンを実施する。スカウトスキャンとは、Ｘ線管１２４を所定位置に固定したまま（すなわち、ガントリ回転部１３２を回転させずに、一定の投影角度に固定したまま）、被検体を乗せた天板１４２を徐々に搬送しながらＸ線を連続的に照射して得た投影データ（透視画像データ）より、１枚の被検体透視画像（スカウト画像）を得るものである。
【００２７】
スカウトスキャンの実施にあたり、まず、操作コンソール１００側でスカウトスキャンの計画を行い、その後、実行指令をガントリ装置１２０に出す（ステップＳ２１０）。スカウトスキャンの条件設定および実行指令は、例えば図３に示すような設定画面３００（操作コンソール１００のＣＲＴ１０２に表示される）を介して行われる。
【００２８】
図示のように、スカウトスキャン設定欄において、所定の基準位置に対するスカウトスキャンの開始位置、終了位置、Ｘ線管１２４に与える管電圧および管電流、そして、投影角度を設定できるようになっている。上記した被検体透視画像を得るためには、スカウトスキャン設定欄に投影角度「０」を入力した後、スカウトスキャン実行のスタートボタン３０２を押して、スカウトスキャンを実行させる。
【００２９】
ガントリ１２０は、スカウトスキャンの実行指令を受けて、上記した設定内容に従いスカウトスキャンを実施する（ステップＳ２０２）。スカウトスキャンによる透視画像データは操作コンソール１００側に転送される。操作コンソール１００では、受信した透視画像データに基づいてスカウト画像を生成し（ステップＳ２１１）、該スカウト画像をスキャン計画画面に表示する（ステップＳ２１２。なお、詳細は後述するものとする）。
【００３０】
スカウト画像が表示されると、ステップＳ２１３に進み、スキャン計画を立てる。スキャン計画は、ＣＲＴ１０２に表示されるスキャン計画画面において行われる（ステップＳ２１３）。スキャン計画についての詳細な説明は後述する。
【００３１】
スキャン計画を終え、操作者よるスキャン実行指示（ステップＳ２１４）に従い、投影データの収集（スキャン）を開始する（ステップＳ２０４）。スキャンは次のように行われる。まず、ｚ軸方向の位置を固定して、Ｘ線管１２４からのＸ線ビームを被検体に照射し（Ｘ線の投影）、その透過Ｘ線をＸ線検出部１３１で検出する。そして、この透過Ｘ線の検出を、Ｘ線管１２４とＸ線検出部１３１を被検体の周囲を回転させながら（すなわち、投影角度を変化させながら）複数（例えば、１０００）のビュー方向で、３６０度分行う。これを１つの単位として１スキャンとよぶ。検出された各透過Ｘ線は、データ収集部１３０でディジタル値に変換されて投影データとしてメインコントローラ１２２を介して操作コンソール１００に転送される。そして、順次ｚ軸方向にスキャン位置を所定量移動して、次のスキャンを行っていく。このようなスキャン方式はアキシャルスキャン方式とよばれるが、投影角度の変化に同期してスキャン位置を移動させながら（Ｘ線管１２４とＸ線検出部１３１とが被検体の周囲をらせん状に周回することになる）投影データを収集する、ヘリカルスキャン方式であってもよい。
【００３２】
１スキャンを終了する度に、操作コンソール１００は、転送された投影データに基づいてＸ線断層像を再構成し（ステップＳ２１５）、ＣＲＴ１０２に表示出力する（ステップＳ２１６）。
【００３３】
＜スカウト画像表示処理＞
図４は、ステップＳ２１２に示した操作コンソール１００におけるスカウト画像表示処理の詳細な流れを示すフローチャートである。
【００３４】
ステップＳ４０１では、テーブル高さセンサの値を読み込む。ステップＳ４０２では、読み込まれたセンサ値に基づいて、ＦＷＤ限界およびＢＷＤ限界を算出する。なお、テーブル１４３の高さ位置に基づいてガントリ回転部１３２のチルト範囲（ＦＷＤ限界、ＢＷＤ限界）を算出する方法については公知であるため、ここでは説明を省略する。また、ステップＳ４０３では、センサ値に基づいて、ＣＲＴ１０２の表示エリア内の座標における、スカウト画像の表示位置を算出する。
【００３５】
ステップＳ４０４では、ＦＷＤ限界およびＢＷＤ限界とともに、算出された表示エリア内の座標における表示位置に、スカウト画像を表示する。
【００３６】
図７Ａは、ＣＲＴ１０２に表示されるスキャン計画画面７００にスカウト画像が表示された状態を示す図である。同図において、７０１は、上記したステップＳ２１１のスカウトスキャンで得られたスカウト画像を表示する表示エリアである。
【００３７】
＜スキャン計画入力処理＞
図５は、操作コンソールにおけるスキャン計画入力処理（ステップＳ２１３）の詳細な流れを示すフローチャートである。なお、ここではスキャン計画画面７００における、「ガントリチルト角」の入力に関する処理についてのみ説明することとする。
【００３８】
ステップＳ５０１では、「ガントリチルト角」の設定入力の有無を確認する。
「ガントリチルト角」に設定値が入力されると、ステップＳ５０２に進み、図５のステップＳ５０２で算出されたＦＷＤ限界およびＢＷＤ限界と比較する。
【００３９】
設定された「ガントリチルト角」がＦＷＤ限界およびＢＷＤ限界の範囲内にある場合には、処理を終了する。一方、ＦＷＤ限界またはＢＷＤ限界の範囲内にない場合には、ステップＳ５０３に進み、設定された「ガントリチルト角」を実現するために必要なテーブル高さを算出し、表示する（図７Ａ参照）。
【００４０】
ステップＳ５０３にて、所望のガントリチルト角を実現するためのテーブル高さが表示されるため、操作者は当該表示に基づいてテーブル高さを変更するよう操作する。そこで、ステップＳ５０４では、テーブル昇降の有無を確認し、テーブルの高さ変更がない場合には処理を終了する。一方、テーブルの高さ変更があった場合には、ステップＳ５０５に進み、スカウト画像のシフト処理を行う。
【００４１】
＜スカウト画像シフト処理＞
図６は、操作コンソール１００におけるスカウト画像シフト処理の詳細な流れを示すフローチャートである。
【００４２】
ステップＳ６０１では、テーブル高さセンサの現在のセンサ値を読み込むとともに、図４のステップＳ４０１で読み込まれたセンサ値（すなわち、ステップＳ２１２で最初にスカウト画像を表示した際のテーブル高さセンサのセンサ値）を読み込む。
【００４３】
ステップＳ６０２では、読み込まれたセンサ値に基づいて、テーブル高さの変動量を算出する。
【００４４】
ステップＳ６０３では、ＣＲＴ１０２における画像表示レンジを読み込み、ステップＳ６０４では、算出されたテーブル高さの変動量と、読み込まれた画像表示レンジとに基づいて、ＣＲＴ１０２のスカウト画像表示エリア７０１内の座標軸に対する、スカウト画像のシフト量について算出する。例えば、テーブル高さの変動幅が所定の基準高さに対して±１００ｍｍで、画像表示レンジが±１００ピクセルであった場合、テーブル高さが１０ｍｍ変動すると、スカウト画像表示エリア７０１内においてスカウト画像が座標軸に対して１０ピクセル分シフトすることとなる。
【００４５】
ステップＳ６０５では、シフト後の画像を表示する。
【００４６】
図７Ｂは、ＣＲＴ１０２に表示されるスキャン計画画面７００に、ステップＳ５０５のスカウト画像シフト処理後のスカウト画像が表示された状態を示す図である。表示エリア７０１に表示されたスカウト画像は、テーブルの高さ変動分だけシフトされているため、同画像に基づいてスキャン計画（７０２〜７０４等）を立てても何ら問題がなく、したがって、再度スカウトスキャンを実施する必要がない。
【００４７】
なお、実施形態におけるＸ線ＣＴシステムの制御のほとんどは操作コンソール１００において行った。操作コンソール１００の構成自体は、汎用の情報処理装置（ワークステーションやパーソナルコンピュータ等）で実現できるものであるので、ソフトウェアを同装置にインストールし、それでもって実現することも可能である。
【００４８】
つまり、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても実現できるものである。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００４９】
本発明を上記記憶媒体に適用する場合、その記憶媒体には、先に説明したフローチャートに対応するプログラムコードが格納されることになる。
【００５０】
このようなプログラムコードを格納する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。更には、ネットワーク（例えばインターネット）という媒体を介してダウンロードしても良いであろう。
【００５１】
以上の説明から明らかなように、本実施形態によれば、スカウトスキャン実施後に、テーブル高さの変更が生じた場合でも、スカウト画像をテーブル高さの変動分シフトさせることで、スカウトスキャンを再実施することなく、スキャン計画をたてることが可能となる。
【００５２】
【発明の効果】
以上説明したように、本発明によれば、スカウトスキャン実施後に、テーブル高さの変更が生じた場合でも、スカウトスキャンを再実施することなく、スキャン計画をたてることが可能となる。
【図面の簡単な説明】
【図１】本発明の実施形態にかかるＸ線ＣＴ装置の構成を示す図である。
【図２】本発明の実施形態にかかるＸ線ＣＴ装置の全体処理の流れを示す図である。
【図３】本発明の実施形態にかかるＸ線ＣＴ装置におけるスカウトスキャン設定画面を示す図である。
【図４】本発明の実施形態にかかるＸ線ＣＴ装置におけるスカウト画像表示処理の流れを示す図である。
【図５】本発明の実施形態にかかるＸ線ＣＴ装置におけるスキャン計画入力処理（ガントリチルト角に関するものに限る）の流れを示す図である。
【図６】本発明の実施形態にかかるＸ線ＣＴ装置におけるスカウト画像シフト処理の流れを示す図である。
【図７Ａ】本発明の実施形態にかかるＸ線ＣＴ装置におけるスキャン計画画面を示すもので、テーブル昇降動作前のスカウト画像を表示した状態を示す図である。
【図７Ｂ】本発明の実施形態にかかるＸ線ＣＴ装置におけるスキャン計画画面を示すもので、テーブル昇降動作後のスカウト画像を表示した状態を示す図である。
【図１】
2004208952.tif 000003
【図２】
2004208952.tif 000004
【図３】
2004208952.tif 000005
【図４】
2004208952.tif 000006
【図５】
2004208952.tif 000007
【図６】
2004208952.tif 000008
【図７Ａ】
2004208952.tif 000009
【図７Ｂ】
2004208952.tif 000010